(57)【要約】【課題】電池パックのサイズを電池セルの長さの整数倍に規定されない、より柔軟性の高い設計を可能とし、さらに構造的に衝撃からくる荷重の影響を低減できるようにする。【解決手段】この電池パック１００は、第一サブホルダ１２及び第二サブホルダ１３を組合せ、入出力端子２３、回路基板２０、複数で異なる形状のリード板２１Ａ及びリード板２１Ｂ等と一体化させている。この構成により、第一サブホルダ１２と第二サブホルダ１３とを同じ姿勢で連結するのでなく、収納される二次電池セル１１が交差する姿勢で第一サブホルダ１２と第二サブホルダ１３とを連結することで、従来のように二次電池セル１１の長さに左右されない、柔軟な配置が可能となり、与えられたスペース内に二次電池セル１１を効率よく配置できるようになる。【選択図】図１
2014139867.tif 000002
【特許請求の範囲】
【請求項１】
一方向に延長された充電可能な複数の二次電池セルと、
前記複数の二次電池セルの内何本かを、前記延長方向が第一の方向を向く姿勢に保持して収納可能な第一サブホルダと、
前記複数の二次電池セルの内残りの何本かを、前記延長方向が第二の方向を向く姿勢に保持して収納可能な第二サブホルダと、
を備え、
前記第一サブホルダに収納される二次電池セル及び前記第二サブホルダに収納される二次電池セルを直列及び／又は並列に接続して出力可能としており、
前記第一サブホルダは、外形をブロック状に形成すると共に、該ブロック状を構成する一面を前記第二サブホルダと接合するための第一接合面としており、
前記第二サブホルダは、外形をブロック状に形成すると共に、該ブロック状を構成する一面を前記第一サブホルダと接合するための第二接合面としており、
前記第一サブホルダと前記第二サブホルダは、前記第一の方向と第二の方向とが交差する姿勢で、前記第一サブホルダの第一接合面と第二サブホルダの第二接合面とを連結しており、
前記第一接合面と第二接合面とを同等に形成してなることを特徴とする電池パック。
【請求項２】
請求項１に記載の電池パックであって、
前記第一の方向と第二の方向とが略直交する姿勢で、前記第一サブホルダ及び第二サブホルダとが連結されてなることを特徴とする電池パック。
【請求項３】
請求項１又は２に記載の電池パックであって、
前記第一サブホルダ及び第二サブホルダとで、収納する二次電池セルの段数が異なることを特徴とする電池パック。
【請求項４】
請求項１から５のいずれかの一に記載の電池パックであって、
前記第一サブホルダが、前記二次電池セルの長手方向に、第一分割ホルダと、第二分割ホルダとに分割され、
前記第二サブホルダが、前記二次電池セルの長手方向に、第三分割ホルダと、第四分割ホルダとに分割され、
前記第一分割ホルダおよび前記第二分割ホルダが、前記第二サブホルダとの連結部として第一嵌合片及び第二嵌合片と、
前記第三分割ホルダが、前記第一サブホルダとの連結部として第一嵌合孔及び第二嵌合孔と、
を備え、前記第一サブホルダと前記第二サブホルダとを連結させること特徴とする電池パック。
【発明の詳細な説明】
【技術分野】
【０００１】
本発明は、複数の充電可能な二次電池を収納した電池パックに関し、例えばアシスト自転車用の電源等に利用可能な電源装置に関する。
【背景技術】
【０００２】
多数の二次電池を直列及び／又は並列に接続した電池パックが、アシスト自転車の動力源などに利用されている。近年の電池パックの出力向上、容量増量の要求に従って、使用する電池セルの数も増える傾向にある一方で、電池パックの外観の小型化、薄型化が求められている。このため、限られた空間内にいかにして多くの電池パックを配置するかが重要となる。
【０００３】
その一方では、電池パックを長期に渡って安定して使用可能とするため、電池セルの放熱性を向上させることも求められている。しかしながら使用する電池セルの数が多くなる程、特に電池パックの中央付近に配置された電池セルは、周囲を電池セルに囲まれているため放熱性が相対的に悪くなり、この状態は電池セルの使用本数が多いほど顕著となる。
【０００４】
そこで、図１２（ａ）、（ｂ）に示すように電池セル８１１を収納する電池ホルダを複数に分割して、これらの電池ホルダ８１２ａ、８１２ｂ同士を連結する構成が採用されている。しかしながら、この構成では電池ホルダの幅が、電池セルの長さによって規定されるため、電池パックのサイズが電池セルのほぼ整数倍に制約されることとなる。一方で、電池パックのサイズは駆動する機器側で用意される設置空間によって決まるため、必ずしも電池セルの長さの整数倍とならず、与えられたスペース内に必要な本数の電池セルを収納する上での足枷となる。更に、電池ホルダ８１２ａと電池ホルダ８１２ｂを連結させ電池ホルダを構成しているが、接合面積が狭いため過度の荷重負荷が加わった場合には、接合部に負荷が集中し破損の可能性も懸念される。
【０００５】
さらに、アシスト自転車等のように屋外での利用が企図される電池パックにおいては、転倒等の外因性による荷重の影響を受ける可能性があり、このような外力によって電池パックが歪みや捻れを受けて破損する可能性も考慮されるところである。
【先行技術文献】
【特許文献】
【０００６】
【特許文献１】特開２００６−３０２７５９号公報
【発明の概要】
【発明が解決しようとする課題】
【０００７】
本発明は、従来のこのような問題点に鑑みてなされたものである。本発明の主な目的は、電池パックのサイズを電池セルの長さの整数倍に規定されない、より柔軟性の高い設計を可能とし、さらに構造的に強度を高めた電池パックを提供することにある。
【課題を解決するための手段及び発明の効果】
【０００８】
上記の目的を達成するため、本発明の第１の側面に係る電池パックは、一方向に延長された充電可能な複数の二次電池セルと、前記複数の二次電池セルの内何本かを、前記延長方向が第一の方向を向く姿勢に保持して収納可能な第一サブホルダと、前記複数の二次電池セルの内残りの何本かを、前記延長方向が第二の方向を向く姿勢に保持して収納可能な第二サブホルダと、を備え、前記第一サブホルダに収納される二次電池セル及び前記第二サブホルダに収納される二次電池セルを直列及び／又は並列に接続して出力可能としており、前記第一サブホルダは、外形をブロック状に形成すると共に、該ブロック状を構成する一面を前記第二サブホルダと接合するための第一接合面としており、前記第二サブホルダは、外形をブロック状に形成すると共に、該ブロック状を構成する一面を前記第一サブホルダと接合するための第二接合面としており、前記第一サブホルダと前記第二サブホルダは、前記第一の方向と第二の方向とが交差する姿勢で、前記第一サブホルダの第一接合面と第二サブホルダの第二接合面とを連結しており、前記第一接合面と第二接合面とを同等に形成してなる。これにより、第一サブホルダと第二サブホルダとを同じ姿勢で連結するのでなく、収納される二次電池セルが交差する姿勢で第一サブホルダと第二サブホルダとを連結することで、従来のように電池セルの長さに左右されない、柔軟な配置が可能となり、与えられたスペース内に電池セルを効率よく配置できるようになる。更に、電池パックは、複数本の収納される二次電池セルが交差する姿勢で第一サブホルダの第一接合面と第二サブホルダの第二接合面とを接続した面連結することで、歪みや捻れの影響を軽減させることができる。ここで、「第一接合面と第二接合面とを同等に」とは、第一接合面と第二接合面とが完全に一致することを求めるものでなく、第一サブホルダや第二サブホルダに収納される二次電池セルの大きさや積層本数などに応じて、多少の形状の違いを許容する約８割以上の意味で使用する。例えば後述する図９で示すように、第一サブホルダ２４Ａに基板ホルダ１９Ａを加えた第一接合面が、第二サブホルダ２５Ａの第二接合面と一致するように構成するような態様も、上記「第一接合面と第二接合面とを同等に」に含む。
【０００９】
さらに、本発明の第２の側面に係る電池パックによれば、前記第一の方向と第二の方向とが略直交する姿勢で、前記第一サブホルダ及び第二サブホルダとが連結されている。これにより、電池セルの縦置きと横置きとを混在させて電池パックを構成でき、電池パック内での電池セルの配置方向を自由に設定でき効率の良い配置が可能となる。
【００１０】
さらにまた、本発明の第３の側面に係る電池パックによれば、前記第一サブホルダ及び第二サブホルダとで、収納する二次電池セルの段数が異なる構成とする。これにより、サブホルダ同士を同じ姿勢で連結しないことから、それぞれの段数を一致させる必要が無くなり、段数の制約を解除してより柔軟な電池セルの配置が実現できる。さらに、二次電池セルの縦置きと横置きとを混在させて電池パックを構成でき、電池パック内での二次電池セルの配置方向を自由に設定でき効率の良い配置が可能となる。
【００１１】
さらにまた、本発明の第４の側面に係る電池パックによれば、前記第一サブホルダが、前記二次電池セルの長手方向に、第一分割ホルダと、第二分割ホルダとに分割され、前記第二サブホルダが、前記二次電池セルの長手方向に、第三分割ホルダと、第四分割ホルダとに分割され、前記第一分割ホルダおよび前記第二分割ホルダが、前記第二サブホルダとの連結部として第一嵌合片及び第二嵌合片と、前記第三分割ホルダが、前記第一サブホルダとの連結部として第一嵌合孔及び第二嵌合孔と、を備え、前記第一サブホルダと前記第二サブホルダとを連結させている。これにより、第一サブホルダと第二サブホルダは、確実に面連結ができ、収納される複数の二次電池セルを交差した姿勢で保持することができる。さらに、連結に際し螺子止め等が無く、第一サブホルダと第二サブホルダを連結部にて連結させるため、組立工数を減少させることができる。
【図面の簡単な説明】
【００１２】
【図１】実施の形態１に係る第一外装電池ケース及び第二外装電池ケースを分離した電池パックの斜視図である。
【図２】図１の電池パックより回路基板及びリード板等を外した状態を示した斜視図である。
【図３】第一サブホルダと第二サブホルダを分離した状態を示した斜視図である。
【図４】第一サブホルダの分解斜視図である。
【図５】第一分割ホルダと第二分割ホルダとの接合面における断面図である。
【図６】第二サブホルダの分解斜視図である。
【図７】第三分割ホルダと第四分割ホルダとの接合面における断面図である。
【図８】第一サブホルダと第二サブホルダとの連結に係る斜視図である。
【図９】変形例１に係る電池パックの概略斜視図である。
【図１０】変形例２に係る電池パックの概略斜視図である。
【図１１】変形例３に係る電池パックの概略斜視図である。
【図１２】従来の電池パックの（ａ）は平面図、（ｂ）は断面図である。
【発明を実施するための形態】
【００１３】
以下、本発明の実施の形態を図面に基づいて説明する。ただし、以下に示す実施の形態は、本発明の技術思想を具体化するための電池パックを例示するものであって、本発明は電池パックを以下のものに特定しない。また、特許請求の範囲に示される部材を、実施例の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
（実施の形態１）
【００１４】
実施の形態１に係る電池パックは、例えばアシスト自転車用の電源等に利用可能な電源装置に適用できる。このような用途においては、複数の二次電池セルを連結して、これらを直列及び／又は並列に接続して出力を増すと共に、これら複数の二次電池セルをサブホルダに収納し、更に複数のサブホルダを連結させ、電池パックで駆動される駆動装置の必要とする電圧及び電力に調整される。さらに例えば、病院等の難治治療病棟等で利用される電動車いすや、高齢者で長時間の歩行が困難なユーザに利用されるハンドル型電動車いす等の電源としても利用できる。
【００１５】
このような大容量の電池パックを構成する上で、例えば７本の並列で１０組の直列とした計７０本の円柱形の二次電池セルを、各二次電池セルの長手方向に７×１０本を積層する場合を仮定してみる。この場合、電池パックの中央付近に配置された二次電池セルは、周囲を多数の二次電池セルに囲まれる構成となるため、放熱性が相対的に悪くなる。そこで実施の形態１に係る電池パックは、まず電池パックを分割し、一の電池パックに収納される二次電池セルの本数を減少させると共に、複数のサブホルダを連結する。このようにして積層本数を減少したサブホルダは、二次電池セルの中央付近の放熱性が相対的に低減される事態を抑制できる。
【００１６】
さらに、各二次電池セルの長手方向に７×１０本を積層した電池パックでは、一つの直方体状の電池ホルダから構成されるため、外部からの衝撃による歪みや捻れを受動しやすい構造体となる。そこで実施の形態１に係る電池パックは、電池ホルダをサブホルダに分割し、各サブホルダに収納される二次電池セルの本数を減少させると共に、複数のサブホルダを連結する。更にその複数のサブホルダは、収納された二次電池セルが互いに交差する姿勢となるように連結されて、電池パックを構成する。これにより、二次電池セルを交差させた電池パックは、歪みや捻れを受動し難い構造体とすることできる。
（実施の形態１）
【００１７】
ここで図１〜図８に基づいて、実施形態に係る電池パック１００を示す。まず図１は、第一外装ケース及び第二外装ケースを分離した電池パック１００の外観斜視図を示す。この電池パック１００は、第一外装ケース３０及び第二外装ケース３１で絶縁保護されている。さらに、電池パック１００は、第一サブホルダ１２及び第二サブホルダ１３を組み合わせ、入出力端子２３、回路基板２０、複数の異なる形状のリード板２１Ａ及びリード板２１Ｂ等と一体化させている。ここで回路基板２０には、電池残量を表示させるインジケーターとしてＬＥＤ群２２を設けている。また回路基板２０に実装された制御用ＩＣ等により電池パック１００における電圧、電流及び温度等の監視している。この回路基板２０は、基板ホルダ１９に収納されて、二次電池セル１１と絶縁されている。基板ホルダ１９は、第一サブホルダ１２の上方に設けられている。さらに、リード板２１Ａ及びリード板２１Ｂは、各二次電池セル１１を直列及び／又は並列に接続し、入出力端子２３及び回路基板２０に通電している。
【００１８】
さらに図２は、説明のため図１より入力端子２３、回路基板２０及びリード板２１Ａ等を外し、第一サブホルダ１２、第二サブホルダ１３及び複数の二次電池セル１１のみの組み合わせとした斜視図である。ここで第一サブホルダ１２及び第二サブホルダ１３には、それぞれ二次電池セル１１を互いに平行姿勢で収納するための複数の電池収納部１４を有する。各電池収納部１４には、二次電池セル１１が収納されている。また第一サブホルダ１２及び第二サブホルダ１３は、互いに略直交する姿勢で連結される。この結果、第一サブホルダ１２及び第二サブホルダ１３に各々収納される二次電池セル１１が、互いに平行な姿勢とならず、二次電池セル１１同士が互いにほぼ直交する姿勢に保持される。
【００１９】
この構成により、第一サブホルダ１２及び第二サブホルダ１３を連結して得られる電池ホルダの寸法及び形状を、より柔軟に設定できる。すなわち、従来のように電池セルが同じ姿勢となるように連結する方式では、電池セルを収納する電池ホルダの寸法が、電池セルの長さや径の整数倍となっていた。これに対して、二次電池セル１１が同じ姿勢となるように第一サブホルダ１２と第二サブホルダ１３とを連結するのでなく、収納される二次電池セル１１が交差する姿勢で第一サブホルダ１２と第二サブホルダ１３とを連結することで、従来のような制約を離れて、二次電池セル１１の長さや外径に左右されない、より柔軟なサイズに設定することが可能となり、与えられたスペース内に二次電池セル１１を効率よく配置できるようになる。
【００２０】
さらに、二次電池セル１１の縦置きと横置きとを混在させて電池パック１００を構成でき、電池パック１００内での二次電池セル１１の配置方向を自由に設定でき効率の良い配置が可能となる。
【００２１】
さらにまた、電池パック１００が第一サブホルダ１２と第二サブホルダ１３とに分割され、これにより積層される二次電池セル１１の数が減少し、積層中央付近の放熱性が相対的に悪くなることを低減させることができる。
【００２２】
さらにまた、内部に収納される二次電池セル１１は、第一サブホルダ１２と第二サブホルダ１３とで略直交する構成となる。ただ、第一サブホルダ１２と第二サブホルダ１３との接合面の連結した部分は、接合面の面積が小さいと歪みの影響を受動し易く破損の可能性もある。そのため好ましくは、第一サブホルダ１２と第二サブホルダ１３とが互いに接合される接合面は、その接合面が設けられているそれぞれのサブホルダの側面の約８割以上を有し、面連結している。これにより第一サブホルダ１２と第二サブホルダ１３は、複数の二次電池セル１１が略直交を成し、更に面連結とする構成となり、外部衝撃等の荷重によるねじれや歪みのエネルギーを分散することができる。
【００２３】
実施の形態１に係る第一サブホルダ１２及び第二サブホルダ１３は、数多くの二次電池セル１１を収納し、正極と負極とが隣接するため、好ましくは絶縁性に優れたポリプロピレン等の樹脂製とする。
【００２４】
図３は、第一サブホルダ１２及び第二サブホルダ１３を分離し、各電池収納部１４に複数の二次電池セル１１が収納された状態の斜視図である。第一サブホルダ１２の下端面には、第二サブホルダ１３と連結するための第一接合面２７を有し、第二サブホルダ１３の上端面には、第一サブホルダ１２と連結するための第二接合面２８を有している。この図のように第一サブホルダ１２と第二サブホルダ１３は、電池収納部１４の数が違い、積層段数を異なる構成としている。この実施の形態１に係る第一サブホルダ１２には、２８本の二次電池セル１１を積層し、垂直方向での積層段数を３段としている。更に、第二サブホルダ１３には、４２本の二次電池セル１１を積層し、幅が狭い水平方向での積層段数を５段としている。この構成によって、第一サブホルダ１２の垂直方向の長さを、使用される二次電池セル１１の長さよりも短くできる。この結果、電池パック１００を、二次電池セル１１の長さに比例しない構成とすることができる。
（サブホルダ）
【００２５】
図４に、第一サブホルダ１２の分解斜視図を示す。この図に示すように、第一サブホルダ１２は、第一分割ホルダ１２Ａ及び第二分割ホルダ１２Ｂで構成され、複数の二次電池セル１１を挿入するための複数の電池収納部１４を設けている。この電池収納部１４は、二次電池セル１１の長手方向の約１／２を収納できる形状を成している。これにより、二次電池セル１１は、第一分割ホルダ１２Ａと第二分割ホルダ１２Ｂの電池収納部１４の内部に長手方向全体を被覆し、更に絶縁保護される。
【００２６】
さらに、この実施の形態１での第一サブホルダ１２は、複数のリード板２１Ａにて、収納されている二次電池セル１１を７本並列に接続すると共に、並列接続された二次電池セル１１を４段直列に接続し、二次電池セル１１を２８本配置する構成としている。
【００２７】
さらにまた図５は、第一分割ホルダ１２Ａと第二分割ホルダ１２Ｂとの接合面における断面図である。この図に示すように、この実施の形態１での第一分割ホルダ１２Ａ及び第二分割ホルダ１２Ｂは、水平方向において隣り合う電池収納部１４を離間させて配置し、一方垂直方向においてはオフセット状に配置している。この図の第一サブホルダ１２の中央付近の温度は、垂直方向の積層される段数が３段と少なくしたことで、放熱性が相対的に低減される事態を抑制できる。更に、このように物理的に電池収納部１４を離間させることで、電池収納部１４に収納される二次電池セル１１が発熱しても、隣接する二次電池セル１１への影響を低減できる。ただ、電池収納部１４の配置は、オフセット状には限定するものではなく、碁盤格子状としてもよいことは言うまでもない。
【００２８】
次に図６は第二サブホルダ１３の分解斜視図を示す。この図に示すように、第二サブホルダ１３は、第三分割ホルダ１３Ａ及び第四分割ホルダ１３Ｂを有し、第一サブホルダ１２同様に、複数の二次電池セル１１を挿入するための複数の電池収納部１４を設けている。二次電池セル１１は、第一サブホルダ１２同様に第二サブホルダ１３の電池収納部１４の内部に長手方向全体を被覆し、更に絶縁保護される。
【００２９】
さらに、この実施の形態１での第二サブホルダ１３は、複数のリード板２１Ｂにて、収納されている二次電池セル１１を７本並列に接続すると共に、並列接続された二次電池セル１１を６段直列に接続し、二次電池セル１１を４２本配置する構成としている。
【００３０】
さらにまた図７は、第三分割ホルダ１３Ａと第四分割ホルダ１３Ｂとの接合面における断面図である。この図のように、第三分割ホルダ１３Ａ及び第四分割ホルダ１３Ｂも、第一サブホルダ１２の構成と同じく、水平方向において隣り合う電池収納部１４を離間させて配置し、一方垂直方向においてはオフセット状に配置している。
【００３１】
さらにまた、図８は、第一サブホルダ１２と第二サブホルダ１３との連結に係る斜視図を示している。第一サブホルダ１２は、第一接合面２７の面側に第一分割ホルダ１２Ａ及び第二分割ホルダ１２Ｂにそれぞれ第一嵌合片１５及び第二嵌合片１６を設けている。更に第二サブホルダ１３の第三分割ホルダ１３Ａには、第二接合面２８の面側に第一嵌合孔１７及び第二嵌合孔１８を各２カ所を設けている。これにより、第一サブホルダ１２と第二サブホルダ１３の連結方法は、まず第一サブホルダ１２に設けている第一嵌合片１５が、第二サブホルダ１３にも設けられている第一嵌合孔１７に挿入される。その後、第一サブホルダ１２に設けられている第二嵌合片１６が、第二サブホルダ１３に設けられた第二嵌合孔１８に挿入され、第一サブホルダ１２と第二サブホルダ１３とを一体構造とする。ここで、突出した第二嵌合片１６の先端部は鉤状の形状を有し、その鉤状により第二嵌合孔１８の開口孔の下端壁に固定される。これにより、第一サブホルダ１２と第二サブホルダ１３は、第一接合面２７と第二接合面２８により確実に面連結でき、収納される複数の二次電池セル１１を交差した姿勢で保持することができる。さらにこれにより一度の組み上げ作業で連結ができるので、作業効率を向上させることができる。
【００３２】
この実施の形態１での電池パック１００は、第一サブホルダ１２と第二サブホルダ１３が連結され、電気的に直列に接続されている。これにより電池パック１００は、二次電池セル１１を７本並列に接続する共に、並列接続された二次電池セル１１を１０段直列に接続し、二次電池セル１１を７０本配置し構成している。第一サブホルダ１２と第二サブホルダ１３の二次電池セル１１の数、配列、接続方法及びサブホルダの数に関しては、これに限られるものではなく、必要とされる電圧や出力容量によって変更が可能なことは言うまでもない。
（二次電池セル１１）
【００３３】
この実施の形態１に係る二次電池セル１１は、円柱状のリチウムイオン二次電池（Ｌｉ−ｉｏｎ）としいる。ただ、二次電池セル１１は、リチウムイオン二次電池には特定しない。例えば二次電池セル１１を、ニッケル水素電池（ＮｉＣｄ）やニッケルカドミウム電池（Ｎｉ−ＭＨ）等の充電できる全ての電池とすることもできる。またこの例では、外装缶を円筒形とする円筒形電池を用いているが、角形電池を使用してもよいことは言うまでもない。
（変形例）
【００３４】
以上説明した実施の形態１では、回路基板２０を第一サブホルダ１２の上方に設置する例を説明した。ただ、本発明は回路基板の配置位置をこのような構成に限定するものではなく、例えば第一サブホルダの側面に配置することもできる。一例として、図９の概略斜視図で示す変形例１では、第一サブホルダ２４Ａと第二サブホルダ２５Ａとの接合部分にできた段差を利用し、第一サブホルダ２４Ａの側面側に、ＬＥＤ群２２Ａを備えた回路基板２０Ａが収納された基板ホルダ１９Ａを設置している。これにより、電池パック１００は、更に垂直方向の高さを低くすることができ、小型化を行うことができる。このように各部材の配置に関しては、設計の自由度に任される。
【００３５】
さらに実施の形態１では、電池ホルダを第一サブホルダ１２と第二サブホルダ１３に二分割する例を説明したが、サブホルダの数は２つに限るものでなく、３以上とすることもできる。一例として３つのサブホルダに分割する構成を変形例２として図１０の概略斜視図に示す。この図に示すように変形例２では、第一サブホルダ２４Ｂと第二サブホルダ２５Ｂと更に第三サブホルダ２６Ｂを連結させている。さらに変形例１と同様に第一サブホルダ２４Ｂの側面側には、ＬＥＤ群２２Ｂを備えた回路基板２０Ｂを収納された基板ホルダ１９Ｂを設置している。ただ、基板ホルダ１９Ｂ等は、この位置に限るものではない。これにより、より多くの電力容量を備えることができる。このように、利用される駆動装置又は電気機器が必要とする電圧及び電力とした電池パック１００とすることができる。
【００３６】
さらにまた図１１は、変形例３に係る電池パックの概略斜視図である。変形例３では、第三サブホルダ２６Ｃを、第一サブホルダ２４Ｃと第二サブホルダ２５Ｃとの短側面に連結する。この第三サブホルダ２６Ｃに収納される二次電池セル１１は、第一サブホルダ２４Ｃ及び第二サブホルダ２５Ｃに収納されている二次電池セル１１と直交させた姿勢とする。さらに、変形例１及び変形例２と同様に第一サブホルダ２４Ｃの側面側には、ＬＥＤ群２２Ｃを備えた回路基板２０Ｃを収納された基板ホルダ１９Ｃを設置している。ただ、基板ホルダ１９Ｃ等はこの位置に限るものではない。これにより電池パック１００は、電力容量を増すことができると共に、外部からの衝撃による歪みや捻れのエネルギーを減衰させることができる。この効果により電池パック１００は、破損の可能性を減少させることができ、構造的に強度を高めることができる。
【産業上の利用可能性】
【００３７】
本発明に係る電池パックは、アシスト自転車用の電源装置として好適に利用できる。またこれら電池パックは、主として電動の乗り物に装着されて、駆動用のモータに電力を供給する用途、例えば電動バイク、アシスト自転車、電動車椅子、電動三輪車、電動カート、ハンドル型電動車いす等の電源として使用される。ただ、本発明は電池パックの用途を特定するものではなく、電動工具等の屋外で使用される種々の電気機器用の電源として使用することもできる。
【符号の説明】
【００３８】
１００…電池パック
１１…二次電池セル
１２…第一サブホルダ
１２Ａ…第一分割ホルダ
１２Ｂ…第二分割ホルダ
１３…第二サブホルダ
１３Ａ…第三分割ホルダ
１３Ｂ…第四分割ホルダ
１４…電池収納部
１５…第一嵌合片
１６…第二嵌合片
１７…第一嵌合孔
１８…第二嵌合孔
１９、１９Ａ、１９Ｂ、１９Ｃ…基板ホルダ
２０、２０Ａ、２０Ｂ、２０Ｃ…回路基板
２１Ａ、２１Ｂ…リード板
２２、２２Ａ、２２Ｂ、２２Ｃ…ＬＥＤ群
２３…入出力端子
２４Ａ、２４Ｂ、２４Ｃ…第一サブホルダ
２５Ａ、２５Ｂ、２５Ｃ…第二サブホルダ
２６Ｂ、２６Ｃ…第三サブホルダ
２７…第一接合面
２８…第二接合面
３０…第一外装ケース
３１…第二外装ケース
８１１…電池セル
８１２ａ、８１２ｂ…電池ホルダ
【図１】
2014139867.tif 000003
【図２】
2014139867.tif 000004
【図３】
2014139867.tif 000005
【図４】
2014139867.tif 000006
【図５】
2014139867.tif 000007
【図６】
2014139867.tif 000008
【図７】
2014139867.tif 000009
【図８】
2014139867.tif 000010
【図９】
2014139867.tif 000011
【図１０】
2014139867.tif 000012
【図１１】
2014139867.tif 000013
【図１２】
2014139867.tif 000014